(57)【要約】【課題】１セットの本数が多い鉛筆または色鉛筆収納ケースに関して、使用時に、美麗なディスプレイによって一目で鉛筆表面の表示や色を判別でき、ケースの容積が小さく、かつ、収容される鉛筆または色鉛筆の重さによる引き出しの変形を防止でき、収容される鉛筆または色鉛筆が散乱し難く、引き出しを引き出す際に鉛筆または色鉛筆が飛び出し難い収納ケースを提供する。【解決手段】全体的には鉛筆または色鉛筆を整列させて収容する皿状の引き出しを収納する函体であり、皿状の引き出し内部には、鉛筆または色鉛筆の軸方向を揃えて整列させる収容体を備え、皿状の引き出しの前板と背板内側には板状の補強部材を備え、鉛筆または色鉛筆の芯が接触し得る面には保護材を備えて、引き出しの変形や、鉛筆または色鉛筆の芯折れおよび飛び出しを防止する。【選択図】図３
0003154931.tif 000002
【実用新案登録請求の範囲】
【請求項１】
鉛筆または色鉛筆を整列させて収容する皿状の引き出しを複数収容する、収容具であって、
前記皿状の引き出し内部には、前記皿状の引き出しを出し入れする方向と鉛筆または色鉛筆の軸方向とを揃えて整列させる収容体を備え、
前記収容具の内側には、前記皿状の引き出しの周縁部、かつ、前記鉛筆または色鉛筆の軸方向の側方より、支持する支持部材を備える収容ケースにおいて、
前記皿状の引き出し周縁部、前記鉛筆または色鉛筆の軸方向と交差する位置の前板か背板の少なくとも一方の内面に板状の補強部材が備えていることを特徴とする鉛筆または色鉛筆収容ケース。
【請求項２】
前記皿状の引き出し内部の一つには、鉛筆または色鉛筆が３６本を超えて収容されることを特徴とする請求項１に記載の鉛筆または色鉛筆収容ケース。
【請求項３】
前記収容体は、前記鉛筆または色鉛筆の軸側面を保持する溝部を複数備えた樹脂製皿状であることを請求項１または２に記載の鉛筆または色鉛筆収容ケース。
【請求項４】
前記皿状の引き出し周縁部の内側、かつ、前記板状の補強用部材の内側に、保護体としてＪＩＳ  Ｋ６２５３タイプＡデュロメータの測定値が９０以下の樹脂の板を備え、保護体は鉛筆または色鉛筆と接触し得る面の摩擦係数が０．２〜１．０であることを特徴とする請求項１〜３の何れか一つに記載の鉛筆または色鉛筆収納ケース。
【請求項５】
前記皿状の引き出し周縁部の手前側上面に飾り板を備えたことを特徴とする請求項１〜４の何れか一項に記載の鉛筆または色鉛筆収容ケース。
【考案の詳細な説明】
【技術分野】
【０００１】
本出願は多数の鉛筆を収納する鉛筆収納ケースに関する。より具体的には、一段の引き出しに３６本を超えて鉛筆を収容し、この引き出しが複数備わる鉛筆または色鉛筆収納ケースに関する。
【背景技術】
【０００２】
従来用いられている皿状の容器に鉛筆を収納する場合、一般的には並列状となるように配列し、それぞれの鉛筆表面の表示および色が見えるように、ならびに、取り出しやすいようにするのが通例である。
【０００３】
鉛筆の本数が多くなると、皿状の容器の幅もそれに応じて広くなり、携帯せず室内に据え置くとしても大きな面積を占有することとなり不便である。例えば３６色までの色鉛筆あるいは３ダース程度の本数の鉛筆であれば、一般的な缶ケースのほか、内部に仕切り壁などを設けた樹脂製の内箱を備えた、紙製のケースでも問題なく収容できる（特許文献１）。ところが、更に本数が多くなる場合には、このような紙製のケースあるいは缶ケースにおいても、幅広となって鉛筆やケースの重さで撓み易くなり、形状の維持が出来なくなる。さらには、大きい皿状の容器は、蓋を開けたままにしておくと鉛筆が飛び出しやすく、散乱しやすいため、蓋を開けたままにはしておけず、不便である。
【０００４】
上記のような課題に対して、少ない本数の鉛筆を保持する鉛筆立てを複数備え、鉛筆表面の表示および色が見えやすく、また鉛筆が取り出しやすい鉛筆収納ケースが本出願人により出願され、実施されている（特許文献２）。このケースは前記した通りの優れた点がある反面、部品点数が多く、簡単な構造が好ましい鉛筆収納ケースとしては製造するに際し難点がある。
【先行技術文献】
【特許文献】
【０００５】
【特許文献１】特開平９−２２４７３１
【特許文献２】実開平５−４８７１９
【考案の概要】
【考案が解決しようとする課題】
【０００６】
前記した通り、３６本程度の鉛筆あるいは色鉛筆を収容するケースは、この本数を並列に並べて、使用時一目で鉛筆表面の表示や色を判別できるようにディスプレイできるものが一般的である。本数が更に多くなると、鉛筆または色鉛筆の、いわゆるダース箱のように、十乃至数十本程度の本数を最密に箱詰めしたものを複数詰め合わせて済ませるか、特許文献２に記載されたような特殊なケースによってディスプレイできるようにされている。このような収納方法では、鉛筆側面の表示あるいは色鉛筆の色は、すぐには確認できず、１本乃至数本を引き出して見る必要がある。また、これらの鉛筆または色鉛筆収納ケースはディスプレイする際に、大きな面積または大きな体積空間を必要とするので、狭い店頭では効果的なアピールが、狭い室内では効率的な使用が、夫々ままならない。
【０００７】
本考案者は、１セットの本数が多い、さらに具体的には１セットが１００本を超えるような鉛筆または色鉛筆収納ケースに関して、使用時に、美麗なディスプレイによって一目で鉛筆表面の表示や色を判別でき、ケースの容積が小さく、かつ、収容される鉛筆または色鉛筆が散乱し難い収納ケースを提供することを目的とした。
【課題を解決するための手段】
【０００８】
本考案者は上記目的を達成するために、特定構造の引き出し式の収納ケースとすることにより上記目的の鉛筆または色鉛筆収納ケースが得られることを見出し、本考案を完成するに至った。すなわち、本考案は次の（１）〜（９）に存する。
（１）鉛筆または色鉛筆を整列させて収容する皿状の引き出しを複数収納する、収納ケースであって、前記皿状の引き出し内部には、前記皿状の引き出しを出し入れする方向と鉛筆または色鉛筆の軸方向とを揃えて整列させる収容体を備え、前記収納ケースの内側には、前記皿状の引き出しの周縁部、かつ、前記鉛筆または色鉛筆の軸方向の側方より、支持する支持部材を備える収納ケースにおいて、前記皿状の引き出し周縁部、前記鉛筆または色鉛筆の軸方向と交差する位置に、板状の補強用部材が備えられていることを特徴とする鉛筆または色鉛筆収納ケース。
（２）前記皿状の引き出し内部の一つには、鉛筆または色鉛筆が３６本を超えて収容されることを特徴とする上記（１）に記載の鉛筆または色鉛筆収納ケース。
（３）前記収容体は、前記鉛筆または色鉛筆の軸側面を保持する溝部を複数備えた樹脂製皿状であることを上記（１）または（２）に記載の鉛筆または色鉛筆収納ケース。
【０００９】
（４）前記皿状の引き出し周縁部の内側、かつ、前記板状の補強用部材の内側に、保護体としてＪＩＳ  Ｋ６２５３タイプＡデュロメータの測定値が９０以下の樹脂の板を備え、保護体は鉛筆または色鉛筆と接触し得る面の摩擦係数が０．２〜１．０であることを特徴とする上記（１）〜（３）の何れか一つに記載の鉛筆または色鉛筆収納ケース。
（５）前記皿状の引き出し周縁部の手前側上面に、飾り板を備えることを特徴とする上記（１）〜（４）の何れか一つに記載の鉛筆または色鉛筆収納ケース。
【考案の効果】
【００１０】
請求項１に記載の考案により、非常に多数の鉛筆または色鉛筆を並列に並べた皿状の引き出しを複数持つ、箪笥型の鉛筆または色鉛筆の収納ケースで、体積が小さく、かつ、大きな面積の皿状の引き出しが湾曲し難い鉛筆または色鉛筆の収納ケースが得られる。
また、請求項２に記載の考案により、上記した皿状の引き出しを持つ箪笥型の鉛筆または色鉛筆収納具において、通常実施されている３６本入りの収納ケースを超えるものが得られる。
また、請求項３に記載の考案により、収納された多数の鉛筆または色鉛筆が、横方向の揺動に対して保持されて、軸側方で互いに衝突を起こさない収納ケースが得られる。
【００１１】
また、請求項４の考案により、強い勢いで引き出しを出し入れした場合に、鉛筆または色鉛筆の前後の摺動によって、硬い補強用部材と、壊れやすい鉛筆または色鉛筆の芯が、直接当たることを防止するとともに、樹脂板の柔らかさによって、鉛筆または色鉛筆の芯の折損を防止することができる鉛筆または色鉛筆の収納ケースが得られる。
また、請求項５の考案により、強い勢いで引き出しを出し入れした場合に、鉛筆または色鉛筆の前後の摺動によって、皿状の引き出しからの鉛筆または色鉛筆の飛び出しを防止できる鉛筆または色鉛筆の収納ケースが得られる。
また、請求項６の考案により、請求項１に記載の、皿状の引き出しを持つ箪笥型の鉛筆または色鉛筆収納ケースよりも更に美麗なディスプレイが可能な鉛筆または色鉛筆の収納ケースが得られる。
【図面の簡単な説明】
【００１２】
【図１】本考案の実施形態に係る鉛筆または色鉛筆の収納具であって、引き出しの一枚を引き出したときの斜視図である。
【図２】本考案の実施形態に係る鉛筆または色鉛筆の収納具の函体の斜視図である。
【図３】本考案の実施形態に係る皿状の引き出しの（ａ）平面図、および、（ｂ）横断面図である。
【図４】本考案の実施形態に係る皿状の引き出しに（ａ）一般的な鉛筆または色鉛筆を収納した時の横断面図、および、（ｂ）強い勢いで引き出しを出し入れした場合に収納された鉛筆または色鉛筆が飛び出した様子を示すモデル図である。
【考案を実施するための形態】
【００１３】
図１〜４に基づき、本発明の収納ケースを説明する。本願明細書内において、軸方向とは並べて収納する鉛筆または色鉛筆の軸方向を言い、手前側とは引き出しを引き出す方向を言い、奥側とは引き出しを押し込み収納する方向を言い、側方とは引き出しを出し入れする方向と直交する方向を言う。
本考案の収納ケースの、函体および皿状の引き出しは、木材、樹脂、金属など、随意に成形が可能で、成形後の形状維持が堅固な素材であれば、何ら制限を受けることなく使用することができる。特に好ましくは、木材と樹脂の複合材料であるＭＤＦ（中密度繊維板：Medium-Density Fiberboard）を用い、優れた成形性、堅牢性および心地よい手触りなどを並立させた収納ケースとすることができる。
【００１４】
函体側面内壁には、皿状の引き出しを支持するレール状の部材が設けられ、これにより皿状の引き出しが函体内部に隙間なく収納される。このように皿状の引き出しが隙間なく収納されることによって、収納ケース全体の体積を小さくまとめることが可能となり、大きな体積の占有が許されるならば収納する鉛筆または色鉛筆の本数を更に多数にすることができる。前記のレール状の部材は、引き出しの出し入れを邪魔しない程度の厚みであることが好ましく、函体側面内壁に水平に差し入れられ固定される。このレール状の部材は断面Ｌ字型のものであってもよく、その場合には函体側面内壁に木螺子などによって水平に固定される。いずれの場合であっても、レール状の部材は、皿状の引き出しを側方両側からのみ支持することとなるので、相応の強度を必要とする。前記の通り「薄さ」も要求されることから、これらレール状の部材の材質は金属が好ましい。
【００１５】
前記した通り、レール状の部材は、皿状の引き出しを側方両側からのみ支持することとなる。そうすると、最下段の引き出し以外は中央部の支持が無い状態となり、実際に多数の（３６本を超える）鉛筆を収容した場合、引き出し全体に下方へ湾曲させる力が働くこととなる。
この湾曲させる力に対抗して、引き出し内部の何れかの箇所に補強部材を入れることによって、実際に引き出しが湾曲してしまうことを防止することができる。この補強部材は、引き出しの手前側の前板内面または奥側の背板内面、あるいは、手前側の前板内面および奥側の背板内面両方に入れることが好ましく、具体的には手前側の前板内面および奥側の背板内面両方に細い板状の金属材を補強部材として入れることで引き出しの湾曲が防止できる。
【００１６】
この皿状の引き出しには、収容する鉛筆または色鉛筆を、手前側〜奥側の方向に整列保持させる収容体を備える。この収容体は、収容する鉛筆または色鉛筆の軸体が丁度収まるように溝を設けてよく、逆に鉛筆または色鉛筆の揺動を抑えられる程度の畝を凸設させる構成としてもよい。ここで、少なくとも鉛筆または色鉛筆が接する部分の収容体の摩擦係数を０．２〜１．０とすることによって、鉛筆または色鉛筆は、より確実に保持されることとなる。この収容体は、例えばポリスチレン、ポリエチレン、ポリプロピレンなど一般的に利用されている樹脂を用いて一体で成形することができる。
【００１７】
また、前記した通り、皿状の引き出しの前板内面と背板内面には金属材の板状の補強部材が入ることとなる。そうすると、収容される鉛筆または色鉛筆の前端または後端が、直接、この補強部材に衝突する恐れが出てくる。言うまでもなく鉛筆、色鉛筆の芯は衝撃によって砕けやすく脆く保護しなければならず、引き出しの前板内面と背板内面の補強部材と、鉛筆または色鉛筆の芯との間には保護体を設けることが必要である。この保護体は鉛筆または色鉛筆の芯が衝突しても、衝突の衝撃を緩衝することができ、いわゆる「芯折れ」を防止することができる。この保護体は例えばＥＶＡ樹脂の発泡体等を用い構成することが出来る。この保護体表面のＪＩＳ  Ｋ６２５３タイプＡデュロメータの測定値を９０以下、より好ましくは２０〜７０とすることにより、より確実に鉛筆芯の折損を防止することができる。また、この保護体表面の摩擦係数を０．２〜１．０とすることによって、強い勢いで引き出しを出し入れした場合に、例えば図４（ａ）および（ｂ）に示すような、鉛筆または色鉛筆の前後の摺動による皿状の引き出しからの鉛筆または色鉛筆の飛び出しを防止することができる。
【００１８】
皿状の引き出し周縁部の手前側上面には飾り板を接着させ、外から見える補強材、保護体などの接着面を覆い隠して、収納ケースの外観をより美麗に演出することも出来る。また、引き出し手前側表面に適宜取っ手を配置して、引き出しの出し入れを容易に行えるように構成する。
【実施例】
【００１９】
次に、本考案を実施例により説明する。
図１は本考案の実施例の外観を示す。ここでは、函体１の内部に５枚の皿状の引き出し２が収容され、取っ手３によって引き出し２が引き出される。
図２は前記の函体１の構成を示す。函体１は手前側が開放された直方体形状であり、天板１１、右側板１２、左側板１３、背板１４（図示せず）および底板１５から構成されている。右側板１２および左側板１３の内側には、レール部材１６（ここではアルミニウム製）が天板１１および底板１５と平行になるように設けられており、前記の引き出し２を支持するようになっている。
【００２０】
図３（ａ）は、皿状の引き出し２の上面図、ならびに、図３（ｂ）は、皿状の引き出し２の左側面図である。引き出し２は、右側板２１、左側板２２、背板２３、前板２４および底板２５から構成される有底の皿状である。背板２３の内側と、前板２４の内側には、それぞれ細長い板状の補強部材２７（ここでは鉄製）が嵌め込まれ、更に内側に、やはり細長い板状の保護材２８（ここではＥＶＡ樹脂製の発泡体、ＪＩＳ  Ｋ６２５３タイプＡデュロメータの測定値３０、摩擦係数０．７）が接着されている。引き出し２の内部底面には、収容体２６（ここではポリスチレン製の成形体、摩擦係数０．３）が設置されている。収容体２６は、前後方向に畝２６ａが等間隔で設けられ、鉛筆Ｐを収容できる溝部２６ｂを形成している。図３（ｂ）の点線で示す通り、引き出し２の周縁部の手前側上面に飾り板２９を覆い被せてもよい。
前板２４の外側前面には取っ手３が設けられている。
【産業上の利用可能性】
【００２１】
本考案の鉛筆または色鉛筆収納ケースを用いることにより、小さな占有体積と簡単な構成で、非常に多い本数の鉛筆、例えば、遊戯に際しサイコロ代わりに供される鉛筆のコレクションや、非常に色数の多い色鉛筆セットを一列に並べてディスプレイを出来る。
【符号の説明】
【００２２】
１．函体
２．引き出し
２６．収容体
２７．補強部材
２８．保護体
２９．飾り板
【図１】
0003154931.tif 000003
【図２】
0003154931.tif 000004
【図３】
0003154931.tif 000005
【図４】
0003154931.tif 000006